(57)【要約】【課題】電極やカメラといった付加的な構成を必要とせずに、ＬＣＤに対するタッチパネルの位置合わせを自動キャリブレーションできる液晶表示装置を得る。【解決手段】表示機能を有するとともに、外周部に枠（２１）を有する液晶表示部（２０）と、液晶表示部の外周部に設けられた枠と一方の面で接するように配置され、枠の位置を読み取る裏面タッチパネル（１２）と、裏面タッチパネルの他方の面と接するように配置され、ユーザからのタッチ位置を読み取る表面タッチパネル（１１）とを有する両面タッチパネル（１０）と、裏面タッチパネルにより読み取られた枠の位置に応じて、アクティブエリアを補正する中央処理部（３０）とを備える。【選択図】図１
2015079356.tif 000002
【特許請求の範囲】
【請求項１】
表示機能を有するとともに、外周部に枠を有する液晶表示部と、
前記液晶表示部の前記外周部に設けられた前記枠と一方の面で接するように配置され、前記枠の位置を読み取る裏面タッチパネルと、前記裏面タッチパネルの他方の面と接するように配置され、ユーザからのタッチ位置を読み取る表面タッチパネルとを有する両面タッチパネルと、
前記裏面タッチパネルにより読み取られた前記枠の位置に応じて、アクティブエリアを補正する中央処理部と
を備える液晶表示装置。
【請求項２】
表面側に設けられた表面タッチパネルと裏面側に設けられた裏面タッチパネルを有する両面タッチパネルの前記裏面側を、表示機能を有する液晶表示部の外周部に設けられた枠と接するように配置する第１ステップと、
前記裏面タッチパネルにより検出される、前記枠と接している部分を特定する信号を読み取り、前記信号を演算処理部にて処理することで、前記両面タッチパネルと前記液晶表示部との相対的な位置関係を特定する第２ステップと、
特定した前記位置関係に応じて、前記演算処理部によってアクティブエリアを補正する第３ステップと、
補正された前記アクティブエリアの範囲内において、ユーザによる前記表面タッチパネルのタッチ位置を前記演算処理部によって読み取る第４ステップと
を備える両面タッチパネルを用いたアクティブエリアの自動キャリブレーション方法。
【発明の詳細な説明】
【技術分野】
【０００１】
本発明は、ＬＣＤ（液晶表示装置）に両面タッチパネルを組み合わせて使用する技術に関し、特に、ＬＣＤと両面タッチパネルとの位置合わせについて、自動キャリブレーションを実現する液晶表示装置、および両面タッチパネルを用いたアクティブエリアの自動キャリブレーション方法に関する。
【背景技術】
【０００２】
ＬＣＤとタッチパネルとを組合せて使用する場合には、使用開始前にキャリブレーションを行って、タッチパネルとＬＣＤの位置合わせを行う必要がある。また、タッチパネルとＬＣＤとの位置関係が、何らかの原因でずれた場合も、再度、キャリブレーションを行う必要がある。
【０００３】
ここで、キャリブレーションは、以下のような種々の方法により行われる。
（方法１）作業者により、手動でキャリブレーションを実施する方法。
（方法２）ＬＣＤに設けられた補正用電極や突起物により、基準位置を自動認識して、自動キャリブレーションを行う方法（例えば、特許文献１、２参照）。
（方法３）カメラ画像に基づいて、必要に応じてその都度、自動キャリブレーションを行う方法（例えば、特許文献３参照）。
（方法４）一定時間ごとにアイコンを画面上に表示し、そのアイコンをユーザが１回タッチしたときに、タッチ位置により自動キャリブレーションを行う方法。
【先行技術文献】
【特許文献】
【０００４】
【特許文献１】特開２００１−１６６８７３号公報
【特許文献２】特開２０１０−１７０３１０号公報
【特許文献３】特開２００２−１４９３４７号公報
【特許文献４】特開２０１２−２２１２２３号公報
【発明の概要】
【発明が解決しようとする課題】
【０００５】
しかしながら、従来技術には、以下のような課題がある。
方法１においては、位置合わせの精度が作業者に依存してしまうため、キャリブレーション結果にバラつきが生じるという問題がある。また、方法２、方法３のような自動キャリブレーションを行うためには、電極やカメラといったタッチパネル以外のものを使用する必要がある。さらに、方法４のように、一定時間ごとに表示されるアイコンのタッチのみで自動キャリブレーションを行う場合には、電極やカメラは不要であるが、ユーザによるアイコンのタッチ操作を必要とする。
【０００６】
本発明は、前記のような課題を解決するためになされたものであり、電極やカメラといった付加的な構成を必要とせずに、ＬＣＤに対するタッチパネルの位置合わせを自動キャリブレーションできる液晶表示装置、および両面タッチパネルを用いたアクティブエリアの自動キャリブレーション方法を得ることを目的とする。
【課題を解決するための手段】
【０００７】
本発明に係る液晶表示装置は、表示機能を有するとともに、外周部に枠を有する液晶表示部と、液晶表示部の外周部に設けられた枠と一方の面で接するように配置され、枠の位置を読み取る裏面タッチパネルと、裏面タッチパネルの他方の面と接するように配置され、ユーザからのタッチ位置を読み取る表面タッチパネルとを有する両面タッチパネルと、裏面タッチパネルにより読み取られた枠の位置に応じて、アクティブエリアを補正する中央処理部とを備えるものである。
【０００８】
また、本発明に係る両面タッチパネルを用いたアクティブエリアの自動キャリブレーション方法は、表面側に設けられた表面タッチパネルと裏面側に設けられた裏面タッチパネルを有する両面タッチパネルの裏面側を、表示機能を有する液晶表示部の外周部に設けられた枠と接するように配置する第１ステップと、裏面タッチパネルにより検出される、枠と接している部分を特定する信号を読み取り、信号を演算処理部にて処理することで、両面タッチパネルと液晶表示部との相対的な位置関係を特定する第２ステップと、特定した位置関係に応じて、演算処理部によってアクティブエリアを補正する第３ステップと、補正されたアクティブエリアの範囲内において、ユーザによる表面タッチパネルのタッチ位置を演算処理部によって読み取る第４ステップとを備えるものである。
【発明の効果】
【０００９】
本発明によれば、タッチパネルとして両面タッチパネルを使用し、裏面タッチパネルで検出した液晶表示部の枠位置に基づいて、表面タッチパネルのアクティブエリアを適切に設定することにより、電極やカメラといった付加的な構成を必要とせずに、ＬＣＤに対するタッチパネルの位置合わせを自動キャリブレーションできる液晶表示装置、および両面タッチパネルを用いたアクティブエリアの自動キャリブレーション方法を得ることができる。
【図面の簡単な説明】
【００１０】
【図１】本発明の実施の形態１における液晶表示装置の構成図である。
【図２】本発明の実施の形態１における両面タッチパネルを用いたアクティブエリアの自動キャリブレーション方法に関するフローチャートである。
【発明を実施するための形態】
【００１１】
以下、本発明の液晶表示装置、および両面タッチパネルを用いたアクティブエリアの自動キャリブレーション方法の好適な実施の形態につき、図面を用いて説明する。
本願は、両面タッチパネルを用いることで、表面タッチパネルにより、ユーザからのタッチ位置を読み取ることに加え、裏面タッチパネルにより、ＬＣＤ位置を読み取ることを技術的特徴としている。このような技術的特徴を有することで、ＬＣＤの枠を用いた常時自動キャリブレーションによるアクティブエリアの自動補正を実現でき、また、表示機能のみのＬＣＤを必要時のみタッチパネル操作可能にすることもできる。
【００１２】
実施の形態１．
図１は、本発明の実施の形態１における液晶表示装置の構成図である。本実施の形態１における液晶表示装置は、両面タッチパネル１０、液晶表示部２０、および中央処理部３０を備えて構成されている。そして、両面タッチパネル１０は、ユーザからのタッチ位置を読み取る表面タッチパネル１１と、液晶表示部２０の枠２１の位置を読み取る裏面タッチパネル１２により構成されている。また、中央処理部３０は、両面タッチパネル１０および液晶表示部２０の動作を制御するものであり、例えば、タッチパネルドライバに相当する。
【００１３】
図２は、本発明の実施の形態１における両面タッチパネルを用いたアクティブエリアの自動キャリブレーション方法に関するフローチャートである。まず始めに、ステップＳ２０１において、両面タッチパネル１０を液晶表示部２０上に配置する。このとき、両面タッチパネル１０の他方の面を構成する裏面タッチパネル１２の端部は、液晶表示部２０の枠２１と接することとなる。
【００１４】
次に、ステップＳ２０２において、中央処理部３０は、裏面タッチパネル１２による検出結果から、裏面タッチパネルの端部で液晶表示部２０と接している部分を、枠２１と認識する。
【００１５】
次に、ステップＳ２０３において、中央処理部３０は、枠２１で囲まれた内部の領域をアクティブエリア（すなわち、液晶表示部２０の表示領域に対応して、ユーザがタッチすると反応する領域として、表面タッチパネルに設定される領域）として自動認識する。そして、自動認識結果に基づいて、両面タッチパネル１０および液晶表示部２０の動作を制御する。この結果、先のステップＳ２０１で液晶表示部２０上に配置された両面タッチパネル１０の相対的な位置に応じて、アクティブエリアを適切に設定することができる。
【００１６】
次に、中央処理部３０は、ステップＳ２０３でのキャリブレーションを行った後の動作制御中であるステップＳ２０４において、裏面タッチパネル１２による検出結果から枠２１の位置を継続してモニタリングする。次に、ステップＳ２０５において、中央処理部３０は、動作制御中に枠２１の位置検出結果が、アクティブエリアを自動認識した際の位置から所定量以上ずれたことを検出した場合には、ステップＳ２０３に戻り、アクティブエリアの自動認識を再度実行する。
【００１７】
一方、ステップＳ２０５において、中央処理部３０は、枠２１の位置検出結果が、アクティブエリアを自動認識した際の位置から所定量未満のずれ量で収まっている場合には、ステップＳ２０４に戻り、枠２１の位置を継続してモニタリングする。
【００１８】
このような一連動作により、液晶表示部２０に対する両面タッチパネルの相対位置に応じて、アクティブエリアを自動補正することができる。この結果、タッチパネル使用開始前の作業者によるキャリブレーション作業を自動化し、作業者によるキャリブレーション結果のバラつきを回避することができる。
【００１９】
また、動作中に液晶表示部２０の位置が変更された場合でも、変更後の位置検出結果に基づいて自動キャリブレーションを行うことができる。この結果、従来必要であったキャリブレーション作業の再実施を不要とすることができる。
【００２０】
また、両面タッチパネルを採用することで、電極やカメラ等のタッチパネル以外の構成を用いることなく、液晶表示部２０と両面タッチパネル１０との相対位置を検出できる。この結果、構成を簡素化して、自動キャリブレーションを実現することができる。
【００２１】
さらに、通常時は、表示機能のみの液晶表示部２０として動作させ、メンテナンス等で必要な時のみ、両面タッチパネル１０を液晶表示部２０上に載せて、タッチパネルによる操作を可能とするような用途に対しても、相対位置の自動キャリブレーションを実現することができる。換言すると、メンテナンス等で必要な時だけ両面タッチパネル１０を液晶表示部２０上に配置し、メンテナンス終了後は、両面タッチパネル１０を取外すことが可能になる。
【００２２】
以上のように、実施の形態１によれば、液晶表示装置と両面タッチパネルを組合せ、両面タッチパネルの裏面側で、液晶表示部の枠を検出することで、アクティブエリアの自動補正を可能としている。この結果、液晶表示部と両面タッチパネルとの相対位置に応じて、アクティブエリアの自動キャリブレーションを容易に実現することができる。
【符号の説明】
【００２３】
１０  両面タッチパネル、１１  表面タッチパネル、１２  裏面タッチパネル、２０  液晶表示部、２１  枠、３０  中央処理部（演算処理部）。
【図１】
2015079356.tif 000003
【図２】
2015079356.tif 000004